(57)【要約】【課題】所定の広い場所（学校，会社）への全体的な入退管理を容易に行えるようにする。【解決手段】所定の場所に入るときに所定の履物が決められているときのその履物が所定の保管場所に収納されたとき、その履物に装着されているメモリカードからデータを読取る読取手段と、読取られたデータを基に前記所定の場所への入退を判定する判定手段とからなる。【選択図】      図１
2004171187.tif 000002
【特許請求の範囲】
【請求項１】
所定の場所に入るときに所定の履物が決められているときのその履物が所定の保管場所に収納されたとき、その履物に装着されているメモリカードからデータを読取る読取手段と、
読取られたデータを基に前記所定の場所への入退を判定する判定手段と、
からなることを特徴とする入退管理装置。
【請求項２】
請求項１に記載の入退管理装置において、判定された入退の状態を表示画面に表示して又はプリントアウトして出力する出力手段を設けたことを特徴とする入退管理装置。
【請求項３】
請求項１又は２に記載の入退管理装置において、所定の保管場所は、下駄箱であることを特徴とする入退管理装置。
【発明の詳細な説明】
【０００１】
【発明の属する技術分野】
本発明は、児童や生徒の学校への登校やその学校からの下校、あるいは、社員の出社や退社、さらには社員の勤務時間を管理するための入退管理装置に関する。
【０００２】
【従来の技術】
【特許文献１】特開平２−６４８９９号公報
【特許文献２】特開平２−１６１５６１号公報
上記特許文献１，２には、履物の底部にメモリカードを装着しておき、室の入口部の床面に設けられている読取器でメモリカードを読取って入出場を管理する入室管理システムが開示されている。また、従業員や社員の出退勤を管理する手法としてタイムカードが広く採用されている。
【０００３】
【発明が解決しようとする課題】
しかしながら、上記従来の履物に設けられたメモリカードを室の入口に設けられた読取器で読取って入退室を管理する場合は、特定の室への在室管理がきめ細かに管理することができるが、特定の広い場所、例えば学校における登校や下校の管理、あるいは会社への出退勤の管理のように、広い場所における全体的な入退管理には不向きであった。なぜならば、特定の室への入退室が必ずしも所定の場所（学校や会社）への入退室と関係していないからである。また、タイムカードを用いた入退管理の場合は、始業時や終業時近くにタイムレコーダ付近が混雑するという欠点があった。
【０００４】
そこで、本発明は、特定の広い場所の入退に伴う管理を全体的に行うことができ、しかも、混雑の発生しない入退管理装置を提供することを目的としている。
【０００５】
【課題を解決するための手段】
本発明は、上記目的を達成するために、請求項１に記載の入退管理装置は、所定の場所に入るときに所定の履物が決められているときのその履物が所定の保管場所に収納されたとき、その履物に装着されているメモリカードからデータを読取る読取手段と、読取られたデータを基に前記所定の場所への入退を判定する判定手段と、からなることを特徴としている。
本発明の請求項２に記載の入退管理装置は、判定された入退の状態を表示画面に表示して又はプリントアウトして出力する出力手段を設けたことを特徴としている。
本発明の請求項３に記載の入退管理装置は、所定の保管場所は、下駄箱であることを特徴としている。
【０００６】
【発明の実施の形態】
以下、本発明の実施の形態を図面に基づいて説明する。図１は、一実施の形態に係る入退管理装置の概略構成図である。図１中、１は、本発明の所定の保管場所に相当する下駄箱であり、周知の下駄箱と同様に、会社や学校の出入口に設けられ、多数の収納部（棚）１ａ，１ａ…に間仕切りされている。なお、図示の例では、開放型の下駄箱となっているが、各収納部１ａ，１ａ…には、扉が設けられていてもよい。
【０００７】
図１中、２，２…は、各収納部１ａ，１ａ…の床面（底面）にそれぞれ埋設されている本発明の読取手段の一部をなすアンテナであり、これらアンテナ２，２…は、端末器３に接続されている。この端末器３は、下駄箱１の近傍に設けられていて、通信回線Ｌを介して入退室を管理する事務室等の所定の場所に設置されている管理機４と接続されている。この管理機４は、パーソナルコンピュータ（パソコン）からなり、プリンタ５を接続している。
【０００８】
図１中、１０は、収納部１ａ，１ａ…に収納されている履物イ，イ…の靴底部にそれぞれ埋設されているメモリカードである。なお、この履物イは、所定の場所（学校や会社）に入るときに、この履物イと履き替えなければならないように決められている。
【０００９】
図２は、上記構成からなる入退管理装置の電気的構成を示すブロック図である。端末器３は、各アンテナ２，２…をサイクリックに駆動制御する送受信回路３ａと、端末器３全体を統括的に制御するＣＰＵを中心に形成された制御部３ｂと、管理機４と通信を行うための通信制御部３ｃとから構成されている。
【００１０】
管理機４は、周知のパソコンと同様に、ＣＰＵを中心に形成された制御部４ａ及びメモリ４ｂを有しているとともに、表示部４ｃ、キーボードやマウスからなる操作部４ｄ及び端末器３及びプリンタ５と接続するための通信接続部４ｅを有している。上記メモリ４ｂには、入退を管理する児童や生徒、あるいは従業員や社員等を特定するための所定のデータが予め記憶されている。
【００１１】
履物イに埋設されるメモリカード１０は、その大きさは靴底の地面と接しない部分に貼付できるような、極めて小さいシートやタグ形状を呈していて、その内部には、アンナテ１０ａと、そのアンテナ１０ａを介してメモリ１０ｂに記憶されている所定のデータを端末器３側に送信するための送信回路１０ｃと、アンテナ２から送信されてくる電力波をアンテナ１０ａを介して受信し、送信回路１０ｃの駆動電力を生成する電力生成回路１０ｄが設けられている。したがって、履物イが下駄箱１の収納部１ａに収納されると、その履物イに貼付されているメモリカード１０の送信回路１０ｃが駆動されてメモリ１０ｂに記憶さている所定のデータ（ＩＤデータ）を端末器３へ送信することができる。
【００１２】
以下、図３のフローチャートを用いて制御動作について説明する。ここでは、下駄箱１が学校の児童の出入口に設けられているものとして説明する。そして、今、始業時刻が到来して今日の児童の出席状態（登校状態）を確認する時刻になったとする（ステップ１００肯定。以下、ステップを「Ｓ」とする。）。
【００１３】
児童の出席状態を確認する時刻の到来により、管理機４は、操作部４ｄを介して出席状態確認モードに設定され、端末器３の制御部３ｂのメモリ（図示せず）に記憶されているデータが管理機４に取り込まれる（Ｓ１０２）。すなわち、端末器３には、下駄箱１の各収納部１ａ，１ａ…に履物イ，イ…が収納されたときにそれら履物イ，イ…にそれぞれ貼付されているメモリカード１０のＩＤ（識別データ）を読取時刻を付加して読取った情報が記憶されているので、管理機４は、その端末器３に記憶されている情報を取り込むことができる。なお、管理機４の情報の取込みは、端末器３に記憶されている情報を読取るのではなく、端末器３は単なる中継器とし、管理機４のメモリ４ｂに直接読取って記憶しておくこともできる。
【００１４】
端末器３から所定の情報を入力した管理機４は、操作部４ｄを介してメモリ４ｂに予め記憶されている各児童の情報（データベース）と照合し、学校全体の出席状態や各クラス毎の出席状態を表示部４ｃに表示したり、本日の欠席児童を抽出して表示したり、あるいは、必要に応じて所定の出力内容をプリンタ５を介してプリントアウトすることができる（Ｓ１０４〜Ｓ１０８）。
【００１５】
上述の例は、本発明に係る入退管理装置を用いた学校の始業時の出席状態の確認であるが、終業時の下校状態も同様にして管理することができる。また、上述の例は、児童の登校，下校の管理に本発明を適用した例であるが、従業員や会社員の出退勤であってもよいことはもちろんである。この場合は、タイムカードを省略することができる。
【００１６】
【発明の効果】
本発明の請求項１に記載の入退管理装置は、所定の場所に入るときに所定の履物が決められているときのその履物が所定の保管場所に収納されたとき、その履物に装着されているメモリカードからデータを読取る読取手段と、読取られたデータを基に前記所定の場所への入退を判定する判定手段とからなるので、所定の広い場所への全体の入退状態を簡単に把握管理することができる。
本発明の請求項２に記載の入退管理装置は、判定された入退の状態を表示画面に表示して又はプリントアウトして出力する出力手段を設けたので、表示やプリントアウトにより容易に入退状態を確認することができる。
本発明の請求項３に記載の入退管理装置は、所定の保管場所を下駄箱としたので、使い馴れている下駄箱を利用して実施することができる。
【図面の簡単な説明】
【図１】本発明の一実施の形態に係る入退管理装置の概略構成図である。
【図２】本発明の一実施の形態に係る入退管理装置の電気的構成を示すブロック図である。
【図３】制御動作を示すフローチャートである。
【符号の説明】
１  下駄箱（保管場所）
１ａ  収納部
２  アンテナ
３  端末器
４  管理機
５  プリンタ
１０  メモリカード
【図１】
2004171187.tif 000003
【図２】
2004171187.tif 000004
【図３】
2004171187.tif 000005